(57)【要約】【課題】生体情報の削除等に際し、最適な優先順位を定めることができる生体情報管理装置等を提供すること。【解決手段】複数種類の生体情報計測装置５０が計測した対象者の複数種類の生体情報を記憶し、生体情報の種類毎に独立した生体情報別記憶部を有し、生体情報計測装置から取得した生体情報は、当該生体情報別記憶部に記憶される構成となっており、最新の前記生体情報の情報量が当該生体情報別記憶部の残容量を超えているか否かの残量判断部を有し、残量判断部が、当該生体情報別記憶部の残容量を超えていると判断したときは、当該生体情報別記憶部に記憶されている生体情報を削除することで、記憶領域を生成し、最新の生体情報を記憶する構成となっていることを特徴とする生体情報管理装置１０。【選択図】図５
2015062549.tif 000002
【特許請求の範囲】
【請求項１】
複数種類の生体情報計測装置が計測した対象者の複数種類の生体情報を記憶するための携帯用の生体情報管理装置であって、
前記生体情報の種類毎に独立した生体情報別記憶部を有し、
前記生体情報計測装置から取得した前記生体情報は、当該前記生体情報別記憶部に記憶される構成となっており、
最新の前記生体情報の情報量が当該前記生体情報別記憶部の残容量を超えているか否かの残量判断部を有し、
前記残量判断部が、当該前記生体情報別記憶部の残容量を超えていると判断したときは、当該前記生体情報別記憶部に記憶されている前記生体情報を削除することで、記憶領域を生成し、最新の前記生体情報を記憶する構成となっていることを特徴とする生体情報管理装置。
【請求項２】
前記生体情報別記憶部に記憶されている前記生体情報を削除するときは、前記生体情報と関連付けられている計時情報が最も古い前記生体情報から順に選択して削除する構成となっていることを特徴とする請求項１に記載の生体情報管理装置。
【請求項３】
各前記生体情報別記憶部に記憶されている前記生体情報は、同種類の前記生体情報計測装置を更に区分する識別情報と関連付けて記憶され、当該前記生体情報別記憶部に記憶されている前記生体情報を削除するときは、最新の前記生体情報と関連付けられている前記識別情報が同一の前記生体情報の前記計時情報が最も古い前記生体情報から順に選択して削除する構成となっていることを特徴とする請求項２に記載の生体情報管理装置。
【請求項４】
前記生体情報管理装置と、
前記生体情報計測装置と、
医療従事者が操作する医療従事者端末装置と、を有する生体情報管理システムであって、
前記生体情報管理装置は、カード状に構成されると共に、前記生体情報計測装置及び前記医療従事者端末装置と、近距離無線通信が可能な構成となっていることを特徴とする請求項１乃至請求項３のいずれか１項に記載の生体情報管理装置を有する生体情報管理システム。
【請求項５】
複数種類の生体情報計測装置が計測した対象者の複数種類の生体情報を記憶するための携帯用の生体情報管理装置を用いる生体情報管理方法であって、
前記生体情報計測装置から取得した前記生体情報は、前記生体情報の種類毎に独立した当該生体情報別記憶部に記憶され、
最新の前記生体情報の情報量が当該前記生体情報別記憶部の残容量を超えているか否かの残量判断部が残容量を判断し、
前記残量判断部が、当該前記生体情報別記憶部の残容量を超えていると判断したときは、当該前記生体情報別記憶部に記憶されている前記生体情報を削除することで、記憶領域を生成し、最新の前記生体情報を記憶する構成となっていることを特徴とする生体情報管理方法。
【発明の詳細な説明】
【技術分野】
【０００１】
本発明は、例えば、患者が自宅等で体温等の生体情報を体温計等で計測したときに、その生体情報を管理するための生体情報管理装置、生体情報管理システム及び生体情報管理方法に関するものである。
【背景技術】
【０００２】
従来から患者が自宅等で体温等の生体情報を体温計等の機器で計測した後、かかる計測データを読み取る生体情報収集装置が提案されている（例えば、特許文献１）。
このような装置は、例えば、病院等に持参等するため小型化が望ましく、可能な限り小さくする努力が行われている。
また、小型化すると、その記憶容量も小さくなり、記憶容量を超える生体情報のデータを記憶する必要が生じる場合がる。
【先行技術文献】
【特許文献】
【０００３】
【特許文献１】特許３７５９７８４号公報
【発明の概要】
【発明が解決しようとする課題】
【０００４】
しかしながら、複数の生体情報が記憶されている場合、新たにデータを記憶するには、いずれかの生体情報のデータを削除等する必要が生じ、どの生体情報を削除するかが問題となっていた。特に、複数種類の生体情報が記憶されている場合、削除等の優先順位をどのように定めるかが問題となる。
【０００５】
そこで、本発明は、生体情報の削除等に際し、最適な優先順位を定めることができる生体情報管理装置、生体情報管理システム及び生体情報管理方法を提供することを目的とする。
【課題を解決するための手段】
【０００６】
上記目的は、本発明にあっては、複数種類の生体情報計測装置が計測した対象者の複数種類の生体情報を記憶するための携帯用の生体情報管理装置であって、前記生体情報の種類毎に独立した生体情報別記憶部を有し、前記生体情報計測装置から取得した前記生体情報は、当該前記生体情報別記憶部に記憶される構成となっており、最新の前記生体情報の情報量が当該前記生体情報別記憶部の残容量を超えているか否かの残量判断部を有し、前記残量判断部が、当該前記生体情報別記憶部の残容量を超えていると判断したときは、当該前記生体情報別記憶部に記憶されている前記生体情報を削除することで、記憶領域を生成し、最新の前記生体情報を記憶する構成となっていることを特徴とする生体情報管理装置により達成される。
【０００７】
前記構成によれば、体温等の生体情報の種類毎に独立した生体情報別記憶部を有し、体温計等の生体情報計測装置から取得した生体情報は、当該生体情報別記憶部に記憶される構成となっている。
また、残量判断部が、当該生体情報別記憶部の残容量を超えていると判断したときは、当該生体情報別記憶部に記憶されている生体情報を削除することで、記憶領域を生成し、最新の前記生体情報を記憶する構成となっている。
したがって、最新の体温情報等の生体情報を記憶する際に、既存の生体情報を削除する必要があるときは、同じ体温情報等が削除されるので、他の血糖値等の生体情報を削除することがない。
したがって、例えば、他の生体情報の記憶されているデータが少なく削除するべきでない場合でも、他の生体情報は削除されないので、生体情報の削除に際し、最適な優先順位を定めることができる。
【０００８】
好ましくは、前記生体情報別記憶部に記憶されている前記生体情報を削除するときは、前記生体情報と関連付けられている計時情報が最も古い前記生体情報から順に選択して削除する構成となっていることを特徴とする。
【０００９】
前記構成によれば、生体情報別記憶部に記憶されている生体情報を削除するときは、生体情報と関連付けられている年月日等の計時情報が最も古い生体情報から順に選択して削除する構成となっている。
したがって、最新の体温情報等の生体情報を記憶する際に、既存の生体情報を削除する必要があるときは、同じ体温情報等のうち、古い情報が削除されるので、新しい情報を残すことができる。
【００１０】
好ましくは、各前記生体情報別記憶部に記憶されている前記生体情報は、同種類の前記生体情報計測装置を更に区分する識別情報と関連付けて記憶され、当該前記生体情報別記憶部に記憶されている前記生体情報を削除するときは、最新の前記生体情報と関連付けられている前記識別情報が同一の前記生体情報の前記計時情報が最も古い前記生体情報から順に選択して削除する構成となっていることを特徴とする。
【００１１】
前記構成によれば、当該生体情報別記憶部に記憶されている生体情報を削除するときは、最新の生体情報と関連付けられている識別情報が同一の生体情報の年月日等の計時情報が最も古い生体情報から順に選択して削除する構成となっているので、他の識別情報の生体情報を削除等することがなく、より精度の高い優性順位を定めることができる。
【００１２】
好ましくは、前記生体情報管理装置と、前記生体情報計測装置と、医療従事者が操作する医療従事者端末装置と、を有する生体情報管理システムであって、前記生体情報管理装置は、カード状に構成されると共に、前記生体情報計測装置及び前記医療従事者端末装置と、近距離無線通信が可能な構成となっていることを特徴とする。
【００１３】
前記構成によれば、生体情報管理装置は、カード状のため、利用者は携帯し易く、また、近距離無線通信により、体温計等の生体情報計測装置から容易に生体情報を取得、記憶することができる。
さらに、記憶した生体情報は、カード状の生体情報管理装置を病院等の医療従事者端末装置に近づけるだけで、医師等の医療従事者に提供できるので、医師等の診断等を迅速且つ容易させることができる。
【００１４】
上記目的は、本発明にあっては、複数種類の生体情報計測装置が計測した対象者の複数種類の生体情報を記憶するための携帯用の生体情報管理装置を用いる生体情報管理方法であって、前記生体情報計測装置から取得した前記生体情報は、前記生体情報の種類毎に独立した当該前記生体情報別記憶部に記憶され、最新の前記生体情報の情報量が当該前記生体情報別記憶部の残容量を超えているか否かの残量判断部が残容量を判断し、前記残量判断部が、当該前記生体情報別記憶部の残容量を超えていると判断したときは、当該前記生体情報別記憶部に記憶されている前記生体情報を削除することで、記憶領域を生成し、最新の前記生体情報を記憶する構成となっていることを特徴とする生体情報管理方法により達成される。
【発明の効果】
【００１５】
以上説明したように、本発明によれば、生体情報の削除等に際し、最適な優先順位を定めることができる生体情報管理装置、生体情報管理システム及び生体情報管理方法を提供することができる。
【図面の簡単な説明】
【００１６】
【図１】本発明の実施の形態にかかる生体情報管理システムを示す概略図である。
【図２】図１の医師用端末の主な構成を示す概略ブロック図である。
【図３】図１に示す体温計の主な構成を示す概略ブロック図である。
【図４】図１のデータカードの主な構成を示す概略ブロック図である。
【図５】第１の情報記憶部の主な構成を示す概略ブロック図である。
【図６】第２の情報記憶部の主な構成を示す概略ブロック図である。
【図７】第３の情報記憶部の主な構成を示す概略ブロック図である。
【図８】図１の体温計が利用者（患者）の体温を計測し、そのデータを記憶する工程を示す概略フローチャートである。
【図９】データカードが体温計から体温情報等を取得する工程を示す概略フローチャートである。
【図１０】データカードが体温計から体温情報等を取得する工程を示す他の概略フローチャートである。
【図１１】データカードが体温計から体温情報等を取得する工程を示す他の概略フローチャートである。
【図１２】利用者（患者）が、病院に行き、所持したデータカードから自己の体温等の生体情報を提供する工程を示す概略フローチャートである。
【発明を実施するための形態】
【００１７】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の実施の形態にかかる生体情報管理システム１を示す概略図である。
図１に示すように、生体情報管理システム１は、生体情報管理装置である例えば、扁平なカード状のデータカード１０を有している。
このデータカード１０は、対象者である利用者がポケット等に収容して容易に携帯できる大きさと成っている。
また、生体情報管理システム１は、生体情報計測装置である例えば、利用者の体温を計測する体温計５０、血圧を計測する血圧計３，血糖値を計測する血糖計４及び体脂肪や筋肉量、骨量などの人間の体の組成を計測する体組成計５等を有している。
これら体温計５０等は、利用者の自宅６内に配置され、利用者が自宅で体温等の生体情報の計測に用いられる機器であり、体温、血圧、血糖値、体脂肪等が生体情報の一例となっている。
【００１９】
また、データカード１０及び体温計５０等は、後述するように、近距離無線通信装置を有し、相互に近接して配置されると、電磁誘導等によるデータ通信が可能な構成となっている。
したがって、利用者が例えば、体温計５０を用いて体温を測定した後、データカード１０を体温計５０に近接させると、データ通信が開始され、体温計５０が記憶している体温情報がデータカード１０へ送信される構成となっている。
【００２０】
また、生体情報管理システム１は、図１に示すように、病院７に配置される医療従事者端末装置である例えば，医師用端末（ＰＣ）８０を有している。
この医師用端末８０は、病院サーバ１００等に接続され、患者（利用者）のデータ等を参照可能な構成となっている。
また、医師用端末８０は、図１に示すように、端末用リードライタ装置８１を有している。このため、利用者が患者として病院に行くとき、このデータカード１０を持参し、端末用リードライタ装置８１に近づけることで、データカード１０内に記憶された体温等のデータを医師用端末８０を介して、病院サーバ１００に入力等することができると共に、医師用端末８０の端末側ディスプレイ８２に、当該体温等のデータを表示させることができる構成となっている。
【００２１】
ところで、データカード１０は、データカード１０が通信を開始する際に電磁波等を発振する「ボタンスイッチ１１」を有する他、「ＯＫ」を示す緑色のＬＥＤランプ１２ａ及び「ＮＧ」を示す赤色のＬＥＤランプ１２ｂを有している。
これらの機能等については、後述する。
【００２２】
図１に示す医師用端末８０、病院サーバ１００、データカード１０、体温計５０、血圧計３，血糖計４及び体組成計５は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２３】
図２は、図１の医師用端末８０の主な構成を示す概略ブロック図である。図２に示すように、医師用端末８０は、端末制御部８３を有し、端末制御部８３は、図１に示す端末用リードライタ装置８１や端末側ディスプレイ８２を制御する他、各種情報を入力するキーボード等の端末側入力装置８４や各種情報を記憶する端末側各種情報記憶部８５も制御する構成となっている。
【００２４】
図３は、図１に示す体温計５０の主な構成を示す概略ブロック図である。図１には、他に血圧計３，血糖計４及び体組成計５を示しているが、本実施の形態では、体温計５０を例に説明する。
したがって、他の血圧計３は、測定する生体情報が異なるが、その他の情報の処理等も体温計５０と同様に実行される。
【００２５】
体温計５０は、図３に示すように、「体温計制御部５１」を有し、体温計制御部５１は、データカード１０と近距離無線通信を行うための「体温計側通信装置５２」、「電源スイッチ５３」、体温を測定する「センサ（サーミスタ）５４ａ」を有する「体温測定装置５４」、時刻情報を生成する「計時装置５５」及び体温等の数値等を表示する「体温計側ディスプレイ５６」等を制御する構成となっている。
また、体温計制御部５１は、図３に示す各種記憶部や処理部であるプログラム等も制御するが、これらの内容については、後述する。
【００２６】
図４は、図１のデータカード１０の主な構成を示す概略ブロック図である。図４に示すように、データカード１０は、計時部１３ａを有するマイコン１３を有している。このマイコン１３は、「電池１４」、上述の「ＯＫ」ランプ１２ａや「ＮＧ」ランプ１２ｂを含む「カードディスプレイ（ＬＥＤ）１２」、「ボタンスイッチ１１」を制御する他、「電源スイッチ１５」や体温計５０や端末用リードライト装置８１と近距離無線通信を行うための「データカード用リードライタ装置１６」を制御する構成ともなっている。
さらに、マイコン１３は、不揮発性メモリ１７を制御し、不揮発性メモリ１７には、各種情報、例えば、「第１の情報記憶部２０」、「第２の情報記憶部３０」及び「第３の情報記憶部４０」を有している。
【００２７】
図５乃至図７は、それぞれ、第１の情報記憶部２０、第２の情報記憶部３０及び第３の情報記憶部４０の主な構成を示す概略ブロック図である。それぞれの内容については後述する。
【００２８】
図８は、図１の体温計５０が利用者（患者）の体温を計測し、そのデータを記憶する工程を示す概略フローチャートである。
先ず、図８のステップＳＴ（以下「ＳＴ」と称す。）１で体温計５０の電源スイッチ５３がＯＮ（入）となったか否かを判断する。具体的には、体温計５０のキャップ（図示せず）が利用者によって外されることで、自動的に電源スイッチ５３がＯＮ状態となる。
【００２９】
次いで、ＳＴ２へ進む。ＳＴ２では、図３の体温測定装置５４が予測平衡温度値（又は実測温度値）を算出したか否かを判断し、算出したと判断したときは、ＳＴ３へ進む。
ＳＴ３では、体温測定装置５４が「予測平衡温度値（又は、実測温度値）」を図３の「体温計識別番号情報記憶部５８」に記憶されている当該体温計５０の「体温計識別番号（例えば、１２３４５Ｍｏｄｅｌ：ａｂｃ）」及び「計時装置５５」の時刻情報と関連付けて、図３の「測定温度情報記憶部５９」に記憶する。
また、当該予測平衡温度値（実測温度値）を体温計側ディスプレイ５６に表示する。
【００３０】
以上で、体温計５０は、利用者の体温情報を、体温計５０の識別情報である例えば、識別番号及び計時情報である例えば、時刻情報（測定年月日及び時刻）と共に「測定体温情報記憶部５９」に記憶することになる。
【００３１】
図９乃至図１１は、データカード１０が体温計５０から体温情報等を取得する工程を示す概略フローチャートである。
先ず、利用者は、図１のデータカード１０を所持し、体温計５０に近接させて、図１等のボタンスイッチ１１を押下等してＯＮ（入）状態にする。
したがって、図９のＳＴ１１では、ボタンスイッチ１１が押下等されたか否かが判断される。
ＳＴ１１で、ボタンスイッチ１１が押下され、スイッチがＯＮ（入）状態と判断されたときは、ＳＴ１２へ進む。
【００３２】
ＳＴ１２では、自己診断が実行され、不揮発性メモリ等のチェックが行われる。次いで、ＳＴ１３へ進み、データカード１０の「電池１４」の電池電圧が十分か否かが判断され、十分なときは、ＳＴ１４へ進む。
ＳＴ１４では、データカード用リードライタ装置１６が体温計側通信装置５２の磁界を検出したか否かを判断する。
ＳＴ１３で「電池電圧」が不十分と判断され、又は、ＳＴ１４で、磁界を検出できなかったときは、電源スイッチ１５をＯＦＦ等にし、終了するが、これらの動作は、図５の「自己診断等実行部（プログラム）２１」が実行する。
【００３３】
ＳＴ１３で「電池電圧」が不十分と判断され、又は、ＳＴ１４で、磁界を検出できなかったときは、終了する。
ＳＴ１４で、磁界を検出できたときは、ＳＴ１５へ進む。ＳＴ１５では、体温計５０と通信し、図３の「体温計識別番号情報記憶部５８」に記憶されている当該体温計５０の「体温計識別番号（例えば、１２３４５Ｍｏｄｅｌ：ａｂｃ）」を取得し、データカード１０の図６の「対象機器識別情報記憶部３１」に記憶する。
この動作は、図６の「対象機器識別情報取得部（プログラム）３２」が実行する。
【００３４】
次いで、ＳＴ１６へ進む。ＳＴ１６では、図６の「データ取得対象機器判断部（プログラム）３３」が実行され、データカード１０の「データ対象機器情報記憶部３４」を参照
する。
この「データ対象機器情報記憶部３４」には、当該データカード１０がデータの取得対象としている体温計５０等の機器の機器識別番号（例えば、体温計識別番号（１２３４５Ｍｏｄｅｌ：ａｂｃ）等）が記憶されている、
【００３５】
したがって、このデータ対象機器情報記憶部３４を参照することで、データカード１０が現在、通信している対象機器（対象機器識別情報記憶部３１に記憶された体温計５０等の機器）が、対象外でないか否かを判断することができ、間違って対象となっていない体温計５０等の機器から測定データ等を取得するのを未然に防止することができる。
このように、データカード１０は、「対象機器識別情報記憶部３１」に記憶されている機器（体温計等）が対象機器に含まれるか否かを判断する。
【００３６】
ＳＴ１６で、対象機器でないと判断されたときは、ＳＴ１７へ進み、図１の「ＮＧ」ランプ（赤色）を点灯させ、終了する。
一方、対象機器と判断されたときは、ＳＴ１８へ進む。ＳＴ１８では、データカード１０は、体温計５０の測定した体温情報等の問い合わせを行う「データカード側問い合わせ信号」を体温計５０に送信する。
【００３７】
次いで、ＳＴ１９へ進む。ＳＴ１９では、データカード１０の生体情報別記憶部である例えば、体温情報記憶領域に記憶されている当該体温計５０（体温計識別番号１２３４５Ｍｏｄｅｌ：ａｂｃ）の体温情報の最新の「年月日（時刻）」データを問い合わせるための「体温計側問い合わせ信号」が体温計５０からデータカード１０に送信される。
【００３８】
すなわち、図５に示すように、データカード１０は、カード情報記憶部２２を有し、このカード情報記憶部２２内は、その記憶する生体情報である体温、血圧、血糖値、体組成及び活動量等によって異なった独立した領域を有している。
具体的には、共通領域として、データカード設定情報記憶領域、デバイス登録情報記憶部領域が形成されている。このデバイス登録情報記憶部領域には、体温計の体温計識別番号（１２３４５Ｍｏｄｅｌ：ａｂｃ）等が記憶されている。
また、データ領域として、体温情報記憶領域、血圧情報記憶領域、血糖値情報記憶領域、体組成情報記憶領域、活動量計記憶領域が、それぞれ、別個に形成され、データカード１０と通信する相手側の機器が体温計５０の場合は、その測定データを「体温情報記憶領域」に記憶し、他の領域には記憶しない構成となっている。
【００３９】
また、各データ領域等には、それぞれ記憶容量が振り分けられており、図５に示すように、「振り分けメモリサイズ」が定められている。
したがって、各生体情報のデータがデータ情報活動部２２内で、混在することなく他の生体情報と区別されて記憶されている。
また、データ量の大小、例えば、活動量情報の各データは、体温情報のデータより大のときは、活動量情報記憶領域の振り分けメモリサイズを体温情報記憶領域より予め大きく設定等し、メモリサイズが最適になるように振り分けている。
【００４０】
また、各データ領域に記憶される情報は，図５の「体温情報記憶領域の記憶情報内容」に示されるように、具体的な体温情報（３６．８℃等）のみならず、その測定の計時情報である例えば、年月日（時刻）情報（２０１３年７月１０日等）、当該体温計５０の体温計識別番号（１２３４５Ｍｏｄｅｌ：ａｂｃ等）及びデータサイズ（データ量）と関連付けて記憶されている。
【００４１】
このため、ＳＴ１９では、体温計５０は、図５のカード情報記憶部２２の「体温計情報記憶領域」の記憶情報内容のうち、当該体温計５０、例えば、１２３４５Ｍｏｄｅｌ：ａｂｃの最新の年月日（時刻）データを、問い合わせる信号を、体温計５０がデータカード１０に送信する。
具体的には、図３の「受信済みデータ問い合わせ部（プログラム）６０」が実行する。
【００４２】
次いで、ＳＴ２０へ進む。ＳＴ２０では、データカード１０は、図６の「最新測定情報送信部（プログラム）３５」が実行され、当該体温計５０（体温計識別番号１２３４５Ｍｏｄｅｌ：ａｂｃ）の体温情報の最新の「年月日（時刻）」データ、例えば、２０１３年７月１５日）を当該体温計５０に送信する。
【００４３】
次いで、ＳＴ２１へ進む。ＳＴ２１では、体温計５０は、体温情報の最新の「年月日（時刻）」データ（例えば、２０１３年７月１５日）を受信し、図３の「体温計側最新情報記憶部６１」に記憶する。
【００４４】
次いで、ＳＴ２２へ進む。ＳＴ２２では、体温計１０の図３の「最新情報判断部（プログラム）６２」が実行され、図３の「体温計側最新情報記憶部６１」と「測定体温情報記憶部５９」を参照して、「測定体温情報記憶部５９」に「体温計側最新情報記憶部６１」の最新の「年月日（時刻）」、例えば、２０１３年７月１５日より最新のデータである「直近データ」が存在するか否かを判断し、「直近データ」が存在しないときは、終了する。
【００４５】
したがって、本実施の形態では、体温計１０は、自己が既に送信した「測定体温情報」を再びデータカード１０に送信することなく、直近の新しいデータのみを送信するので、無駄な送受信を未然に防ぐことができる。
【００４６】
一方、ＳＴ２２で「直近データ」が存在したときは、ＳＴ２３へ進み、体温計は、直近データ（例えば、測定年月日（時刻）、体温計識別番号、体温情報）をデータカードへ送信する。
次いで、ＳＴ２４へ進む。ＳＴ２４では、データカード１０の図６の「データサイズ情報生成部（プログラム）３６」が実行され、体温計５０から受信した「直近データ」のデータサイズ情報を生成して、「直近データ」と関連付けて、図７の「暫定記憶部４１」に記憶する。
【００４７】
次いで、ＳＴ２５へ進む。ＳＴ２５では、図７の「メモリ残量演算部（プログラム）４２」が動作し、「直近データ」の属する機器（体温計５０）の図５の「カード情報記憶部２２」の「記憶領域名」（例えば、「体温情報記憶領域」）の「振り分けメモリサイズ」と、「体温情報記憶領域の記憶情報」の記憶済みの「データサイズ」の合計とを比較して「メモリサイズ残量」を演算し、「メモリ残量記憶部４３」に記憶する。
【００４８】
次いで、ＳＴ２６へ進む。ＳＴ２６では、データカード１０の残量判断部である例えば、「メモリサイズ残量判断部（プログラム）４４」が動作し、「暫定記憶部４１」の「直近データ」の「データサイズ」は「メモリ残量記憶部４３」の「メモリサイズ残量データ」以下か否かを判断する。
なお、「直近データ」の「データサイズ」は、最新の生体情報の情報量の一例となっている。
【００４９】
ＳＴ２６で、「暫定記憶部４１」の「直近データ」の「データサイズ」は「メモリ残量記憶部４３」の「メモリサイズ残量データ」以下と判断されたときは、「直近データ」を記憶する容量が「体温情報記憶領域」に残っていないこととなる。
このとき、本実施の形態では、図５の「カード情報記憶部２２」の他の血圧情報記憶領域等の残量等を考慮することなく、「直近データ」を「体温情報記憶領域」に記憶させる工程を行う。
これにより、データカード１０は、各生体情報の測定情報が、生体情報毎に確実に記憶され、確保されることになる。
【００５０】
ＳＴ２６で、「直近データ」の「データサイズ」は「メモリ残量記憶部４３」の「メモリサイズ残量データ」以下と判断されたときは、ＳＴ２７へ進む。
ＳＴ２７では、図７の「データサイズ整理処理部（プログラム）４５」が動作し、図７の「メモリ残量記憶部４３」の「メモリサイズ残量データ」に、図５の「カード情報記憶部２２」の「体温情報記憶領域」の各データの「データサイズ」を、「年月日（時刻）」の古い順に加算し、加算した「仮想データサイズ」が、「メモリサイズ残量データ」以上となるまで、順に加算を続け、加算した各データを消去する。
【００５１】
したがって、「直近データ」が「体温情報」をデータカード１０に記憶するときは、他の生体情報である血圧情報等を削除することなく、同じ生体情報のデータのうち古いデータと置き換える構成となっているので、生体情報の削除等に関し、最適な優先順位を定めることができる。
【００５２】
なお、本実施の形態では、同じ体温情報記憶領域に記憶される体温データは「体温計識別番号（１２３４５Ｍｏｄｅｌ：ａｂｃ等）」にかかわらず、古いデータを削除する構成としたが、本発明はこれに限らず、同じ体温情報のうち、当該「直近データ」の体温計５０と「体温計識別番号」が同じ（例えば、１２３４５Ｍｏｄｅｌ：ａｂｃ）体温情報のデータのうち、古いデータを削除する構成としても構わない。
この場合は、同じ体温計５０でも、体温計識別番号が異なるデータを残すので、より精度の高い優性順位を定めることができる。
【００５３】
一方、ＳＴ２６で、「直近データ」の「データサイズ」は「メモリ残量記憶部４３」の「メモリサイズ残量データ」以下と判断されたときは、ＳＴ２８へ進む。この場合は、「直近データ」を記憶する容量が「体温情報記憶領域」に残っているので、そのまま記憶させる。
【００５４】
以上で、体温計５０のデータをデータカード１０に記憶させる工程等について説明したが、データカード１０は、同様に、図１に示す血圧計３，血糖計４及び体組成計５等の他の生体情報を取得する機器から生体情報を取得し記憶する。
そして、この小型のデータカード１０を持って利用者は、図１の病院７へ行き、データカード１０内のデータを医師等に提供することになる。
【００５５】
図１２は、利用者（患者）が、病院に行き、所持したデータカード１０から自己の体温等の生体情報を提供する工程を示す概略フローチャートである。
先ず、利用者は、携帯してきたデータカード１０を、図１の医師用端末８０の端末用リードライタ装置８１に近接させる。
そして、図１２のＳＴ４１へ進む。ＳＴ４１では、データカード１０は、医師用端末８０の端末用リードライタ装置８１の磁界を検出したか否かを判断する。
【００５６】
次いで、ＳＴ４２へ進み、データカード１０は、上述のＳＴ１２と同様に「自己診断実行（不揮発性メモリ等のチェック）」行い、ＳＴ４３へ進む。
ＳＴ４３では、上述のＳＴ１３と同様に電池電圧は十分か否かを判断し、十分な場合は、ＳＴ４４へ進む。
【００５７】
ＳＴ４４では、データカード１０は、端末用リードライタ装置８１からポーリングコマンドを受信したか否かを判断し、受信したときは、ＳＴ４５へ進む。
ＳＴ４５では、データカード１０は、図５の「カード情報記憶部２２」の「データ領域」の「体温情報記憶領域」等のデータを医師用端末８０へ送信する。
【００５８】
以上の工程で、病院は、利用者（患者）の自宅における体温情報をその測定年月日等の情報と共に取得することができるので、これらのデータに基づき、利用者（患者）の担当医師の診断等が行い易くなる。
【００５９】
ところで、本発明は、上述の実施の形態に限定されない。本実施の形態では、生体情報の後、特に体温情報を例に説明したが、他に脈拍情報等の生体情報も同様に扱うことができる。
また、データカード１０に限らず、電話・ｅ−メールの他にＰＤＡ機能が付いた多機能携帯電話（いわゆるスマートフォン）、ＰＤＡ（Ｐｅｒｓｏｎａｌ  Ｄｉｇｉｔａｌ  Ａｓｓｉｓｔａｎｔ）、携帯型ＰＣ（パーソナルコンピュータ）等も適用可能である。
【符号の説明】
【００６０】
１・・・生体情報管理システム、３・・・血圧計、４・・・血糖計、５・・・体組成計、１０・・・データカード、１１・・・ボタンスイッチ、１２・・・カードディスプレイ（ＬＥＤ）、１２ａ・・・ＯＫランプ、１２ｂ・・・ＮＧランプ、１３・・・マイコン、１３ａ・・・計時部、１４・・・電池、１５・・・電源スイッチ、１６・・・データカード用リードライタ装置、１７・・・不揮発性メモリ、２０・・・第１の情報記憶部、２１・・・自己診断等実行部（プログラム）、２２・・・カード情報記憶部、３０・・・第２の情報記憶部、３１・・・対象機器識別情報記憶部、３２・・・対象機器識別情報取得部（プログラム）、３３・・・データ取得対象機器判断部（プログラム）、３４・・・データ対象機器情報記憶部、３５・・・最新測定情報送信部（プログラム）、３６・・・データサイズ情報生成部（プログラム）、４０・・・第３の情報記憶部、４１・・・暫定記憶部、４２・・・メモリ残量演算部（プログラム）、４３・・・メモリ残量記憶部、４４・・・メモリサイズ残量判断部（プログラム）、４５・・・データサイズ整理処理部（プログラム）、５０・・・体温計、５１・・・体温計制御部、５２・・・体温計側通信装置、５３・・・電源スイッチ、５４・・・体温測定装置、５４ａ・・・センサ（サーミスタ）、５５・・・計時装置、５６・・・体温計側ディスプレイ、５８・・・体温計識別情報記憶部、５９・・・測定体温情報記憶部、６０・・・受信済みデータ問い合わせ部（プログラム）、６１・・・体温計側最新情報記憶部、６２・・・最新情報判断部（プログラム）、８０・・・医師用端末、８１・・・端末用リードライタ装置、８２・・・端末側ディスプレイ、８３・・・端末制御部、８４・・・端末側入力装置、８５・・・端末側各種情報記憶部、１００・・・病院サーバ
【図１】
2015062549.tif 000003
【図２】
2015062549.tif 000004
【図３】
2015062549.tif 000005
【図４】
2015062549.tif 000006
【図５】
2015062549.tif 000007
【図６】
2015062549.tif 000008
【図７】
2015062549.tif 000009
【図８】
2015062549.tif 000010
【図９】
2015062549.tif 000011
【図１０】
2015062549.tif 000012
【図１１】
2015062549.tif 000013
【図１２】
2015062549.tif 000014